(57)【要約】【課題】  媒体の詰まりを防止するとともに、媒体の蓄積枚数を増加させる。【解決手段】  媒体投入口４から投入された媒体Ｚは、媒体処理通路１０内を自重によって径方向に転動し、第１のアンテナ基板２０によって情報処理が行われる。価値情報が残存する媒体は媒体返却通路１１から媒体返却口５に返却され、使用済みの媒体は媒体蓄積手段２５に蓄積される。媒体蓄積手段２５から媒体供給通路１３内に供給された媒体Ｚは、自重によって径方向に転動し第２のアンテナ基板５２によって価値情報が付与され媒体返却口５から発行される。媒体蓄積手段２５は、モータ２７によって間欠的に回転駆動され周部に媒体Ｚを蓄積する媒体蓄積用凹部３５，３９をそれぞれ４個設けた回転体２８，２９を備える。【選択図】  図１
2006190025.tif 000002
【特許請求の範囲】
【請求項１】
円板状に形成された非接触型ＩＣ媒体が投入される媒体投入口と、この媒体投入口から投入された非接触型ＩＣ媒体を自重によって径方向に転動させる媒体処理通路と、この媒体処理通路中に設けられ非接触型ＩＣ媒体の情報を処理する第１の媒体処理手段と、この第１の媒体処理手段によって処理され価値情報が残存する非接触型ＩＣ媒体を返却する媒体返却口と、前記第１の媒体処理手段によって処理され価値情報が残存しない非接触型ＩＣ媒体を蓄積する媒体蓄積手段とを備え、前記媒体蓄積手段を、回転自在に支持され周部に非接触型ＩＣ媒体を１枚ずつ蓄積する媒体蓄積用凹部を複数個設けた円板状に形成した回転体と、この回転体を間欠的に回動させるモータとによって構成したことを特徴とする非接触型ＩＣ媒体処理装置。
【請求項２】
請求項１記載の非接触型ＩＣ媒体処理装置において、前記媒体蓄積手段から１枚ずつ供給される非接触型ＩＣ媒体を自重によって径方向に転動させる媒体供給通路と、この媒体供給通路中に設けられ非接触型ＩＣ媒体に情報を付与する第２の媒体処理手段とを備え、この第２の媒体処理手段によって処理された非接触型ＩＣ媒体を前記媒体返却口から発行することを特徴とする非接触型ＩＣ媒体処理装置。
【請求項３】
請求項１または２記載の非接触型ＩＣ媒体処理装置において、２枚の前記回転体を回転方向に互いに位相を違えて同軸上に設け、これら回転体の一方に他方の回転体の媒体蓄積用凹部に非接触型ＩＣ媒体を案内するガイド部を設けたことを特徴とする非接触型ＩＣ媒体処理装置。
【発明の詳細な説明】
【技術分野】
【０００１】
本発明は、円板状に形成された非接触型ＩＣ媒体（以下、単に媒体という）に記録された情報を読み書きして処理する非接触型ＩＣ媒体処理装置（以下、単に媒体処理装置という）に関するものである。
【背景技術】
【０００２】
従来の媒体処理装置は、円板状に形成され周面に４つの投入放出口を有し、時計・反時計方向に９０°ずつ回動する保持ディスクからなる搬送プール部と、保持ディスクの投入放出口との間でＩＣコインの補充およびＩＣコインを戻す第２のプール部とを備えたものがある。この装置においては、利用者がＩＣコインを投入放出口に投入すると、保持ディスクを時計方向へ９０°だけ回動させてＩＣコインを装置内に取込み、ＩＣコインの価値情報の書き換えを行った後に再び保持ディスクを反時計方向へ９０°だけ回動させて利用者に返却する。また、ＩＣコインを発行する場合は、第２のプール部から保持ディスクの投入放出口にＩＣコインを補充し、搬送プール部に使用済みのＩＣコインを回収する場合には、保持ディスクの投入放出口から第２のプール部にＩＣコインを戻す（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−３２７７４７号公報（段落「００３５」、「００３９」、「００４４」、「００６１」および図８、図１３、図１４）
【発明の開示】
【発明が解決しようとする課題】
【０００３】
上述した従来の媒体処理装置においては、ＩＣコインを処理する場合は保持ディスクを時計方向へ９０°回動させてから行うために、このときには保持ディスクの３番目の投入放出口から第２のプール部にＩＣコインを放出している。一方、処理が終了して利用者に返却する場合は保持ディスクを反時計方向へ９０°回動させるため、このときには第２のプール部から保持ディスクの３番目の投入放出口に戻している。このように、保持ディスクの３番目の投入放出口と第２のプール部との間でＩＣコインを頻繁に往復させる構造のため、コイン詰まりを起こしやすいという問題があった。
【０００４】
本発明は上記した従来の問題に鑑みなされたものであり、その目的とするところは、媒体の詰まりを防止することにある。また、多くの媒体が蓄積できる媒体処理装置を提供することにある。
【課題を解決するための手段】
【０００５】
この目的を達成するために、請求項１に係る発明は、円板状に形成された非接触型ＩＣ媒体が投入される媒体投入口と、この媒体投入口から投入された非接触型ＩＣ媒体を自重によって径方向に転動させる媒体処理通路と、この媒体処理通路中に設けられ非接触型ＩＣ媒体の情報を処理する第１の媒体処理手段と、この第１の媒体処理手段によって処理され価値情報が残存する非接触型ＩＣ媒体を返却する媒体返却口と、前記第１の媒体処理手段によって処理され価値情報が残存しない非接触型ＩＣ媒体を蓄積する媒体蓄積手段とを備え、前記媒体蓄積手段を、回転自在に支持され周部に非接触型ＩＣ媒体を１枚ずつ蓄積する媒体蓄積用凹部を複数個設けた円板状に形成した回転体と、この回転体を間欠的に回動させるモータとによって構成したものである。
【０００６】
請求項２に係る発明は、請求項１に係る発明において、前記媒体蓄積手段から１枚ずつ供給される非接触型ＩＣ媒体を自重によって径方向に転動させる媒体供給通路と、この媒体供給通路中に設けられ非接触型ＩＣ媒体に情報を付与する第２の媒体処理手段とを備え、この第２の媒体処理手段によって処理された非接触型ＩＣ媒体を前記媒体返却口から発行するものである。
【０００７】
請求項３に係る発明は、請求項１または２に係る発明において、２枚の前記回転体を回転方向に互いに位相を違えて同軸上に設け、これら回転体の一方に他方の回転体の媒体蓄積用凹部に非接触型ＩＣ媒体を案内するガイド部を設けたものである。
【発明の効果】
【０００８】
本発明によれば、媒体投入口と媒体返却口とを設け、第１の情報処理手段によって情報処理された媒体を媒体返却通路と媒体蓄積手段とに分岐させるとともに、媒体蓄積手段に蓄積した媒体を発行するための媒体供給通路を設けたことにより、媒体処理通路と媒体蓄積手段との間や媒体蓄積手段と媒体給通路との間で媒体を往復させるようなことがないため媒体の詰まりを防止できる。また、媒体を自重によって径方向に転動させる構造としたことにより、媒体を搬送するためのモータや搬送ベルト等の搬送手段が不要になる。
【０００９】
請求項３に係る発明によれば、媒体の蓄積枚数を増加させることができる。
【発明を実施するための最良の形態】
【００１０】
以下、本発明の実施の形態を図に基づいて説明する。図１は本発明に係る媒体処理装置の側面図、図２（Ａ）は図１におけるII（Ａ）矢視図、同図（Ｂ）は図１におけるII（Ｂ）-II（Ｂ） 線断面図、図３は要部を分解して示す斜視図、図４は要部を拡大して示す側面図、図５は媒体の蓄積動作を説明するための本発明に係る媒体処理装置の側面図である。
【００１１】
図１に全体を符号１で示す媒体処理装置は、扁平で密閉状態に形成された筺体２を備え、この筺体２の前面板３の上下には、スリット状に形成された媒体投入口４と媒体返却口５とが設けられている。図２（Ｂ）に符号６で示すものは筺体２の一方の側板７に対向するように筺体２の上板８と下板９とに取り付けられた媒体軌道板であって、この媒体軌道板６と側板７との間に、媒体処理通路１０、媒体返却通路１１、媒体蓄積空間１２、媒体供給通路１３が設けられている。
【００１２】
媒体処理通路１０は、図１に示すように媒体投入口４に連通し、図中左下がりに傾斜しており、媒体投入口４から投入された円板状に形成された媒体Ｚが自重によって径方向に転動するように構成されている。この媒体処理通路１０には、媒体Ｚの転動を支承するレールの一部に、媒体Ｚの径よりもわずかに大きい幅のスリット状に形成された媒体落下孔１５が設けられており、この媒体落下孔１５を介して媒体処理通路１０と媒体返却通路１１とが連通している。１６は媒体投入口４の近傍に設けられた第１のシャッタピンであって、図示を省略したソレノイドの駆動によって媒体処理通路１０に進退し、媒体処理通路１０内に進出することにより、媒体投入口４からの媒体Ｚの媒体処理通路１０への投入が規制される。
【００１３】
１７は媒体落下孔１５に設けられた第１のシャッタ板であって、図示を省略したソレノイドの駆動によって媒体落下孔１５において進退し、媒体落下孔１５内に進出することにより媒体落下孔１５を閉じ、媒体処理通路１０内を転動する媒体Ｚの下端を支承する。一方、この第１のシャッタ板１７が媒体落下孔１５から後退することにより媒体落下孔１５を開放し、媒体処理通路１０内を転動する媒体Ｚは、媒体落下孔１５から媒体返却通路１１に導かれる。媒体返却通路１１に導かれた媒体Ｚは、自重によって媒体返却通路１１内を垂直下方に落下し、媒体返却通路１１の下端と連通している媒体返却口５から返却される。
【００１４】
１８は第１のシャッタ板１７に対応して設けられた第２のシャッタピンであって、図示を省略したソレノイドの駆動によって媒体処理通路１０において進退し、媒体処理通路１０内に進出することにより、媒体処理通路１０中を転動する媒体Ｚの転動を阻止する。２０は第１の媒体処理手段としての第１のアンテナ基板であって、図２（Ｂ）に示すように筺体２の他方の側板２１に一体に立設されたボス２２に取り付けられており、第１のシャッタ板１７と第２のシャッタピン１８とによって係止された媒体Ｚの情報がこの第１のアンテナ基板２０により処理される。すなわち、この第１のアンテナ基板２０は、第１のシャッタ板１７と第２のシャッタピン１８とによって係止された媒体Ｚと対向するように設けられており、媒体Ｚの中央部に埋設されたアンテナ部（図示せず）と第１のアンテナ基板２０に設けられたアンテナ部２０ａとの間で、無線による通信が行われ媒体Ｚの価値情報が処理される。
【００１５】
媒体蓄積空間１２の媒体軌道板６と筺体２の側板７の間隔は、媒体Ｚの２枚分の厚みよりも大きく形成されており、この媒体蓄積空間１２内には、後述するように第１のアンテナ基板２０によって情報が処理され価値情報が残存しなくなった媒体Ｚを８枚まで蓄積する媒体蓄積手段２５が収納されている。この媒体蓄積手段２５は、図３に示すように第１の回転体２８、第２の回転体２９および円板３０からなる回転体２６と、この回転体２６を間欠的に回動させるモータ２７とによって構成されている。
【００１６】
第１の回転体２８は、厚み方向の一方側に設けた円板部３１と、厚み方向の他方側に設けた円板状の媒体蓄積部３２とによって一体に形成されており、中央部に軸孔３３が設けられている。円板部３１の周部には、円周方向に互いに９０°間隔をおいた部位から４個のガイド片３４が放射方向に突設されており、これらガイド片３４には、先端から円板部３１の中心に向かって媒体蓄積部３２側に傾斜したガイド部３４ａが設けられている。媒体蓄積部３２の外周部には、４個の前記ガイド片３４，３４間、すなわちガイド片３４と円周方向に４５°位相をずらした部位に、円周方向に互いに９０°間隔をおいて媒体Ｚの径よりもわずかに大きな径によって半円形に形成された４個の媒体蓄積用凹部３５が設けられている。
【００１７】
第２の回転体２９は、厚み方向の一方側に設けた円板部３６と、厚み方向の他方側に設けた円板状の媒体蓄積部３７とによって一体に形成されており、中央部に軸孔３８が設けられている。媒体蓄積部３７の周部の円周方向に互いに９０°間隔をおいた部位には、前記媒体蓄積用凹部３５と同じ形状の半円形に形成された４個の媒体蓄積用凹部３９が設けられている。これら第１の回転体２８および第２の回転体２９ならびに円板３０は、第１の回転体２８の媒体蓄積部３２の端面と第２の回転体２９の円板部３６の端面とを互いに対接させるとともに、第２の回転体２９の媒体蓄積部３７の端面と円板３０の端面とを対接させて、各軸孔３３，３８，４０に軸着された軸４１によって一体化されている。
【００１８】
このように軸４１によって一体化された第１の回転体２８と第２の回転体２９とは、図４に示すようにそれぞれの媒体蓄積用凹部３５と媒体蓄積用凹部３９とが互いに円周方向に４５°位相をずらしており、第１の回転体２８の４個のガイド部３４ａが第２の回転体２９の４個の媒体蓄積用凹部３９と位相が一致している。このように構成された回転体２６は、図２に示すように軸４１が筺体２の側板７と媒体軌道板６とに回転自在に支持されることにより、媒体蓄積空間１２内に回転自在に収納される。このように媒体蓄積空間１２内に収納された回転体２６は、回転することにより第１の回転体２８の媒体蓄積用凹部３５とガイド部３４ａとが、交互に上述した媒体処理通路１０の下端に臨むように位置付けられている。
【００１９】
図４において、４３は回転体２６の円板３０の径よりもわずかに大きい円環状に形成された媒体落下規制体であって、第１および第２の回転体２８，２９の媒体蓄積部３２，３７を囲むように媒体軌道板６に取り付けられている。この媒体軌道板６の上部および下部には、媒体Ｚの直径よりもわずかに大きい幅の媒体受入口４３ａと媒体排出口４３ｂとが設けられており、媒体受入口４３ａが上記した媒体処理通路１０の下端に連通し、媒体排出口４３ｂが媒体供給通路１３の上端に連通している。
【００２０】
上記したモータ２７は、図２（Ｂ）に示すように筺体２の一方の側部７の内側に取り付けられており、このモータ２７の出力軸に軸着された小径プーリ４５と、軸４１に軸着された大径プーリ４６との間には伝達ベルト４７が張架されている。このような構成において、モータ２７を駆動し伝達ベルト４７を介して回転体２６を回動させ、図１に示すように第１の回転体２８の媒体蓄積部３２の４個の媒体蓄積用凹部３５のうちのいずれかが媒体落下規制体４３の媒体受入口４３ａに対応させる。この状態で、第１のアンテナ基板２０によって情報が処理され価値情報が残存しなくなった、いわゆる使用済みの媒体Ｚが媒体処理通路１０を転動してくると、この使用済みの媒体Ｚは媒体落下規制体４３の媒体受入口４３ａを通過して第１の回転体２８の媒体蓄積部３２の４個の媒体蓄積用凹部３５のうちのいずれかに蓄積される。
【００２１】
次に、モータ２７を駆動し回転体２６を９０°回動させると、上述した歯板Ｚが蓄積された媒体蓄積用凹部の隣の媒体蓄積用凹部３５が媒体落下規制体４３の媒体受入口４３ａに対応するから、この媒体蓄積用凹部３５に媒体Ｚが蓄積される。順次、モータ２７を駆動し第１の回転体２８を９０°ずつ２度回動させると、第１の回転体２８の４個の媒体蓄積用凹部３５のそれぞれに媒体Ｚが蓄積されるから、第１の回転体２８でのこれ以上の蓄積は不可能になる。
【００２２】
この状態からモータ２７を駆動し回転体２６を４５°回動させると、図５に示すように、第１の回転体２８の４個のガイド部３４ａのうちのいずれかが媒体落下規制体４３の媒体受入口４３ａに位置付けられる。したがって、媒体処理通路１０を転動してきた媒体Ｚは、ガイド部３４ａに案内されて媒体Ｚの厚み方向、すなわち第２の回転体２９側に移動する。上述したように、第１の回転体２８の４個のガイド部３４ａが第２の回転体２９の４個の媒体蓄積用凹部３９と位相が一致しているから、ガイド部３４ａによって第２の回転体２９側に移動した媒体Ｚは、第２の回転体２９の４個の媒体蓄積用凹部３９のうちのいずれかに蓄積される。この後、順次、モータ２７を駆動し回転体２６を９０°ずつ３度回動させると、第２の回転体２９の４個の媒体蓄積用凹部３９のそれぞれに媒体Ｚが蓄積される。
【００２３】
図１において、５０は第２のシャッタ板であって、図示を省略したソレノイドの駆動によって、媒体落下規制体４３の媒体排出口４３ｂに進退し、進出することにより媒体排出口４３ｂを閉じ、第１の回転体２８の媒体蓄積用凹部３５および第２の回転体２９の媒体蓄積用凹部３９に蓄積されている媒体Ｚの媒体供給通路１３への供給が規制される。一方、第２のシャッタ板５０が媒体落下規制体４３の媒体排出口４３ｂから後退することにより、第１の回転体２８の媒体蓄積用凹部３５および第２の回転体２９の媒体蓄積用凹部３９に蓄積されている媒体Ｚの媒体供給通路１３への供給を可能にする。
【００２４】
すなわち、第１の回転体２８の媒体蓄積用凹部３５のうちのいずれかが媒体排出口４３ｂに対向していると、媒体蓄積用凹部３５に蓄積されている媒体Ｚが媒体排出口４３ｂを通過して媒体供給通路１３へ供給される。この後、順次、モータ２７を駆動し回転体２６を９０°ずつ３度回動させると、第１の回転体２８の３個の媒体蓄積用凹部３５のそれぞれに蓄積されている媒体Ｚが媒体供給通路１３へ供給される。
【００２５】
一方、この状態からモータ２７を駆動し回転体２６を４５°回動させると、第２の回転体２９の媒体蓄積用凹部３９のうちのいずれかが媒体排出口４３ｂに対向するため、媒体蓄積用凹部３９に蓄積されている媒体Ｚが自重によって落下し、ガイド部３４ａに案内されて媒体排出口４３ｂを通過して媒体供給通路１３へ供給される。この後、順次、モータ２７を駆動し回転体２６を９０°ずつ３度回動させると、第２の回転体２９の３個の媒体蓄積用凹部３９のそれぞれに蓄積されている媒体Ｚが媒体供給通路１３へ供給される。
【００２６】
この媒体供給通路１３は図中右下がりに傾斜し下端が媒体返却口５に連通しており、この媒体供給通路１３には、図示を省略したソレノイドによって媒体供給通路１３に進退する第３のシャッタピン５１が設けられている。したがって、媒体蓄積部２５からこの媒体供給通路１３に供給された媒体Ｚは、媒体供給通路１３中を自重によって径方向に転動し、媒体供給通路１３中に進出した第３のシャッタピン５１によって媒体Ｚの転動が規制されて係止される。
【００２７】
５２は第２の媒体処理手段としての第２のアンテナ基板であって、図２（Ｂ）に示すように筺体２の他方の側板２１に一体に立設されたボス５３に取り付けられており、第３のシャッタピン５１によって係止された媒体Ｚの情報を処理する。すなわち、この第２のアンテナ基板５２は、第３のシャッタピン５１によって係止された媒体Ｚと対向するように設けられており、媒体Ｚの中央部に設けられたアンテナ部（図示せず）と第２のアンテナ基板５２に設けられたアンテナ部５２ａとの間で、無線による通信が行われ媒体Ｚに価値情報を付与する。
【００２８】
次に、このように構成された媒体処理装置１において媒体を処理する動作について説明する。予め、第１のシャッタピン１６が媒体処理通路１０から後退し、第１のシャッタ板１５が媒体落下孔１５に進出し、第２のシャッタピン１８が媒体処理通路１０内に進出し、第２のシャッタ板５０が媒体落下規制体４３の媒体排出口４３ｂに進出し、第３のシャッタピン５１が媒体供給通路１３に進出している。また、第１の回転体２８の４個の媒体蓄積用凹部３５のうちのいずれかが、図１に示すように媒体落下規制体４３の媒体受入口４３ａに臨んでいる。
【００２９】
この状態で、媒体投入口４から媒体Ｚが投入されると、媒体Ｚは媒体処理通路１０内を自重によって径方向に転動し、第２のシャッタピン１８と第１のシャッタ板１７とによって係止される。媒体Ｚが媒体処理通路１０内に投入されると、図示を省略したセンサによって投入が検知され、第１のシャッタピン１６が媒体処理通路１０内に進出し、２枚目以降の媒体Ｚの媒体投入口４からの投入が規制される。
【００３０】
第２のシャッタピン１８と第１のシャッタ板１７とによって係止された媒体Ｚは、この媒体処理装置１が付設されたサービス提供機器（図示せず）のサービスの内容に応じて第１のアンテナ基板２０によって情報処理が行われる。情報処理の結果、媒体Ｚに価値情報が残存している場合は、第１のシャッタ板１７が媒体落下口１５から後退し、媒体Ｚは媒体落下口１７から媒体返却通路１１内を落下し、媒体返却口５から返却される。同時に、第１のシャッタ板１７が媒体落下口１５に進出するとともに、第１のシャッタピン１６が媒体処理通路１０から後退し、次の媒体Ｚを媒体投入口４から投入可能な状態になる。
【００３１】
一方、第２のシャッタピン１８と第１のシャッタ板１７とによって係止された媒体Ｚが第１のアンテナ基板２０によって情報処理され、情報処理の結果、媒体Ｚに価値情報が残存していない、いわゆる使用済みの媒体になった場合は、第２のシャッタピン１８が媒体処理通路１０から後退する。したがって、使用済みの媒体Ｚは媒体処理通路１０内を自重によって径方向に転動し、媒体落下規制体４３の媒体受入口４３ａから第１の回転体２８の４個の媒体蓄積用凹部３５のうちのいずれかに蓄積される。
【００３２】
媒体Ｚが第１の回転体２８の４個の媒体蓄積用凹部３５のうちのいずれかに蓄積されたことを図示を省略したセンサで検知すると、モータ２７が駆動し、第１の回転体２８が９０°時計方向に回動し、隣の媒体蓄積用凹部３５が媒体落下規制体４３の媒体受入口４３ａに臨む。したがって、第１のアンテナ基板２０によって使用済みとなった媒体Ｚは、第１の回転体２８の媒体蓄積用凹部３５に順次蓄積され、全て（４個）の媒体蓄積用凹部３５に媒体Ｚが蓄積されると、モータ２７の駆動によって第１の回転体２８が４５°回動する。この回動によって、第１の回転体２８のガイド部３４ａが、図５に示すように媒体落下規制体４３の媒体受入口４３ａに臨み、第２の回転体２９の媒体蓄積用凹部３９のうちのいずれかが媒体受入口４３ａに臨む。
【００３３】
この状態で、第１のアンテナ基板２０によって使用済みとなった媒体Ｚは、第１の回転体２８のガイド部３４ａによって厚み方向に移動するようにして案内され、第２の回転体２９の媒体蓄積用凹部３９のうちのいずれかに蓄積される。媒体Ｚが第２の回転体２９の４個の媒体蓄積用凹部３９のうちのいずれかに蓄積されたことを図示を省略したセンサが検知すると、モータ２７が駆動し、第２の回転体２９が９０°時計方向に回動し、隣の媒体蓄積用凹部３９が媒体落下規制体４３の媒体受入口４３ａに臨む。したがって、第１のアンテナ基板２０によって使用済みとなった媒体Ｚは、第２の回転体２９の媒体蓄積用凹部３９に順次蓄積される。
【００３４】
次に、媒体の発行動作について説明する。モータ２７が駆動し、第１の回転体２８の媒体蓄積用凹部３５のうちのいずれかが、図１に示すように媒体落下規制体４３の媒体排出口４３ｂに臨む。この状態で、第２のシャッタ板５０が媒体排出口４３ｂから後退することにより、第１の回転体２８の媒体蓄積用凹部３５のうちのいずれかから使用済みの媒体Ｚが媒体供給通路１３に供給される。供給された媒体Ｚは、媒体供給通路１３内を自重によって転動し、第３のシャッタピン５１に係止され、第２のアンテナ基板５２によって所定の価値情報が付与される。媒体Ｚに価値情報が付与されると、第３のシャッタピン５１は媒体供給通路１３から後退するので、価値情報が付与された媒体Ｚは媒体供給通路１３中を自重によって径方向に転動し媒体返却口５から発行される。
【００３５】
引き続き媒体を発行する場合は、モータ２７の駆動によって第１の回転体２８を９０°回動させ、第１の回転体２８の他の媒体蓄積用凹部３５を媒体落下規制体４３の媒体排出口４３ｂに臨ませる。この後、上記の発行動作と同様に、第２のシャッタ板５０が媒体排出口４３ｂから後退し、第２のアンテナ基板５２によって媒体Ｚに所定の価値情報が付与されて媒体返却口５から発行される。第１の回転体２８の４個のすべての媒体蓄積用凹部３５に蓄積された媒体Ｚがなくなると、モータ２７の駆動によって第１の回転体２８が４５°回動し、第１の回転体２８のガイド部３４ａが、図５に示すように媒体落下規制体４３の媒体排出口４３ｂに臨み、第２の回転体２９の媒体蓄積用凹部３９のうちのいずれかが媒体排出口４３ｂに臨む。この状態で、上記の発行動作と同様に、第２のシャッタ板５０を媒体排出口４３ｂから後退すると、媒体蓄積用凹部３９に蓄積されていた媒体Ｚは、媒体排出口４３ｂを通って第１の回転体２８のガイド部４３ｂに案内されて媒体供給通路１３に供給され、第２のアンテナ基板５２によって所定の価値情報を付与して媒体返却口５から発行する。
【００３６】
このように、本願発明では、媒体投入口４と媒体返却口５とを設け、第１のアンテナ基板２０によって情報処理された媒体Ｚを、媒体返却通路１１と媒体蓄積手段２５とに分岐させるとともに、媒体蓄積手段２５に蓄積した媒体Ｚを発行するための媒体供給通路１３を設けたものである。このため、媒体処理通路１０と媒体蓄積手段２５との間や媒体蓄積手段２５と媒体給通路１３との間で媒体Ｚを往復させるようなことがなく、媒体Ｚを上方から下方へ一方向に搬送するようにしたため媒体の詰まりを防止できる。また、媒体投入口４から投入された媒体Ｚを媒体処理通路１０内を自重によって径方向に転動させ、第１のアンテナ基板２０によって情報処理された媒体Ｚを媒体処理通路１０内または媒体返却通路１１内を自重によって径方向に転動させる構造としたことにより、媒体Ｚを搬送するためのモータや搬送ベルト等の搬送手段が不要になる。
【００３７】
また、２枚の第１および第２の回転体２８，２９を回転方向に互いに位相を違えて同軸上に設け、第１の回転体２８に第２の回転体２９の媒体蓄積用凹部３９に媒体Ｚを案内するガイド部３４ａを設けたことにより、媒体蓄積手段２５に蓄積できる媒体Ｚの枚数を増加させることができる。また、第１および第２の回転体２８，２９の媒体蓄積用凹部３５，３９に蓄積する媒体Ｚを、径方向が上下方向を指向するように蓄積したことにより、媒体処理装置１の厚み方向を薄型化することができる。
【００３８】
なお、本実施の形態においては、第１および第２の回転体２８，２９に蓄積できる媒体Ｚの枚数を４枚としたが５枚以上としてもよい。また、第１のアンテナ基板２０で処理され価値情報が残存する媒体Ｚについては媒体返却通路１１を通して媒体返却口５から返却するようにしたが、第１のアンテナ基板２０で処理され価値情報を第２のアンテナ基板５２に移行させる移行手段を設ければ、第１のアンテナ基板２０で処理する内容を、第２のアンテナ基板５２によって第３のシャッタピン５１に係止された媒体Ｚに処理することにより、第１のアンテナ基板２０によって情報処理された媒体は、情報が残存している、いないにかかわらず全て媒体蓄積手段２５に蓄積することができ、この場合には媒体返却通路１１が不要になる。
【図面の簡単な説明】
【００３９】
【図１】本発明に係る媒体処理装置の側面図である。
【図２】同図（Ａ）は図１におけるII（Ａ）矢視図、同図（Ｂ）は図１におけるII（Ｂ）-II（Ｂ） 線断面図である、
【図３】本発明に係る媒体処理装置の要部を分解して示す斜視図である。
【図４】本発明に係る媒体処理装置の要部を拡大して示す側面図である。
【図５】本発明に係る媒体処理装置において、媒体の蓄積動作を説明するための本発明に係る媒体処理装置の側面図である。
【符号の説明】
【００４０】
１…非接触型ＩＣ媒体処理装置（媒体処理装置）、４…媒体投入口、５…媒体返却口、１０…媒体処理通路、１１…媒体返却通路、１２…媒体蓄積空間、１３…媒体供給通路、１６…第１のシャッタピン、１７…第１のシャッタ板、１８…第２のシャッタピン、２０…第１のアンテナ基板（第１の情報処理手段）、２５…媒体蓄積手段、２６…回転体、２７…モータ、２８…第１の回転体、２９…第２の回転体、３０…円板、３４ａ…ガイド部、３５，３９…媒体蓄積用凹部、４３ａ…媒体受入口、４３ｂ…媒体排出口、５０…第２のシャッタ板、５１…第３のシャッタピン、５２…第２のアンテナ基板（第２の情報処理手段）、Ｚ…非接触型ＩＣ媒体（媒体）。
【図１】
2006190025.tif 000003
【図２】
2006190025.tif 000004
【図３】
2006190025.tif 000005
【図４】
2006190025.tif 000006
【図５】
2006190025.tif 000007